(57)【要約】【課題】放送受信システム全体の小型化と配線の簡略化と景観の美化と携行性の向上とを実現する。【解決手段】ブースタ２は、広域帯アンプ２５と、第１内蔵アンテナ２１などと、電源回路２９と、Ｆ型コネクタ２６とを含む。広域帯アンプ２５は、電気信号を増幅する。第１内蔵アンテナ２１などは、電気信号を広域帯アンプ２５に供給する。電源回路２９は、電力を広域帯アンプ２５に供給する。Ｆ型コネクタ２６は、テレビセット３のＦ型コネクタ３０に直接接続でき、かつ広域帯アンプ２５が増幅した電気信号をテレビセット３のＦ型コネクタ３０に出力する。【選択図】図１
2007214907.tif 000002
【特許請求の範囲】
【請求項１】
第１の電気信号を増幅するための増幅手段と、
前記第１の電気信号を前記増幅手段に供給するための第１の供給手段と、
電力を前記増幅手段に供給するための第２の供給手段と、
電気信号を受信できる装置である受信装置の金具に直接接続でき、かつ前記増幅手段が増幅した電気信号である第２の電気信号を前記受信装置の金具に出力する第１の出力金具とを含む、ブースタ。
【請求項２】
前記第１の出力金具は、コネクタを含む、請求項１に記載のブースタ。
【請求項３】
前記コネクタは、同軸コネクタを含む、請求項２に記載のブースタ。
【請求項４】
前記第１の供給手段は、受信した電波が表わす信号に対応する前記第１の電気信号を生成するアンテナを含む、請求項１に記載のブースタ。
【請求項５】
前記ブースタは、前記増幅手段と前記アンテナとを少なくとも収容する筐体をさらに含む、請求項４に記載のブースタ。
【請求項６】
前記第１の供給手段は、受信した電波が表わす信号に対応する前記第１の電気信号をそれぞれ生成する複数のアンテナを含み、
前記ブースタは、前記複数のアンテナがそれぞれ生成した前記第１の電気信号の間で、前記増幅手段に供給する信号を切り替えるための第１の切替手段をさらに含む、請求項１に記載のブースタ。
【請求項７】
前記ブースタは、
前記第２の電気信号の信号強度を測定するための測定手段と、
前記測定手段が測定した信号強度に応じて前記増幅手段に供給する信号を切り替えるように前記第１の切替手段を制御するための第１の制御手段とをさらに含む、請求項６に記載のブースタ。
【請求項８】
前記第１の供給手段は、
第１のアンテナが生成した前記第１の電気信号を前記増幅手段に中継するための中継手段と、
受信した電波が表わす信号に対応する前記第１の電気信号を生成する第２のアンテナとを含み、
前記ブースタは、前記中継手段が中継する前記第１の電気信号と前記第２のアンテナが生成する前記第１の電気信号との間で、前記増幅手段に供給する信号を切り替えるための第２の切替手段をさらに含む、請求項１に記載のブースタ。
【請求項９】
前記ブースタは、
前記第２の電気信号の信号強度を測定するための測定手段と、
前記測定手段が測定した信号強度に応じて前記増幅手段に供給する信号を切り替えるように前記第２の切替手段を制御するための第２の制御手段とをさらに含む、請求項８に記載のブースタ。
【請求項１０】
前記ブースタは、
前記第２の電気信号の信号強度を測定するための測定手段と、
前記増幅手段の利得が一定な値となるように、前記増幅手段を制御するための第３の制御手段とをさらに含む、請求項１に記載のブースタ。
【請求項１１】
前記ブースタは、
前記第２の電気信号を出力する第２の出力金具と、
前記第１の出力金具と第２の出力金具とに、前記第２の電気信号を分配するための第１の分配手段とをさらに含む、請求項１に記載のブースタ。
【請求項１２】
前記ブースタは、前記第２の供給手段が供給する電力を前記増幅手段と任意の負荷とに分配するための第２の分配手段をさらに含む、請求項１に記載のブースタ。
【請求項１３】
前記ブースタは、前記第２の供給手段が供給する電力を蓄電するための蓄電手段をさらに含む、請求項１に記載のブースタ。
【請求項１４】
前記第２の供給手段は、
前記第２の電気信号を出力する経路とは少なくとも一部が異なりかつ前記第１の出力金具を介する経路で前記増幅手段に直流電力を供給するための手段と、
前記第２の電気信号を出力する経路での前記直流電力の供給を防止するための防止手段とを含む、請求項１に記載のブースタ。
【発明の詳細な説明】
【技術分野】
【０００１】
本発明は、ブースタに関し、特に、衛星放送や地上波放送などに用いられる能動中継方式のブースタに関する。
【背景技術】
【０００２】
従来、地上波放送や衛星放送などのテレビ放送を受信するテレビ放送受信システムにおいて、アンテナ、ブースタ、受信機その他テレビ放送受信システムを構成する各ユニットはそれぞれ別のユニットとして構成されている。これらのユニットは、信号ケーブルを介して接続される。
【０００３】
図５は、従来のテレビ放送受信システムの外観と配置とを表わす図である。従来のテレビ放送受信システムは、外部アンテナ１と、Ｆ型コネクタ１１と、同軸ケーブル１２と、ブースタ８と、同軸ケーブル９と、テレビセット３とを含む。外部アンテナ１は、空中を伝播するテレビ放送信号を電気信号に変換する。同軸ケーブル１２は、アンテナが変換した電気信号をブースタ８に導入する。ブースタ８は、内蔵する広域帯アンプで電気信号を増幅する。同軸ケーブル９は、テレビセット３が内蔵するチューナユニット３１に電気信号を導入する。テレビセット３は、チューナユニット３１により所定の放送局の放送信号を抽出した後、その信号が表わす映像を表示する。
【０００４】
特許文献１は、外部から受信したＶＨＦ、ＵＨＦ、ＢＳ、デジタル信号などの放送電波を屋内や電波障害地域などに出力するアンテナ出力端子に着脱可能に取付けられる入力端子と、この入力端子に接続された、入力端子から入力される放送電波を増幅する増幅回路と、この増幅回路に接続された商用電源に接続する商用電源接続回路と、増幅回路で増幅された放送電波を出力する出力アンテナとからなることを特徴とする電波の送信装置を開示する。
【０００５】
特許文献１に開示された発明によると、同軸ケーブルなどの配線をなくし、屋内あるいは電波の届く範囲でＶＨＦ（Very High Frequency）、ＵＨＦ（Ultra High Frequency）、ＢＳ（Broadcasting Satellite）などの放送電波を容易に受信させることができる電波の送信装置を提供することができる。
【０００６】
特許文献２は、ＲＦ（Radio Frequency）ブースタを有し、ＡＣ（Alternating current）アダプタから電源供給を受けて動作するテレビ用無線ブースタを開示する。テレビ用無線ブースタは、ＡＣアダプタとＲＦブースタとを結ぶ電源線に、ＲＦブースタの高周波出力信号を印加する。
【０００７】
特許文献２に開示された考案によると、室内の景観が損なわれない形で、ポケットテレビや据置きテレビセットやＶＴＲが小型室内アンテナなどで受信できる。
【特許文献１】特開２００４−２２２１１４号公報
【特許文献２】実開昭６３−１４０７４５号公報
【発明の開示】
【発明が解決しようとする課題】
【０００８】
しかしながら、特許文献１および特許文献２に開示された発明や考案では、テレビ放送受信システムの小型化や、配線の簡略化や、景観の美化や、携行性の向上が困難であるという問題点がある。上述したように、従来のテレビ放送受信システムにおいては、アンテナ、ブースタ、および受信機をそれぞれ同軸ケーブルで接続することが必要である。テレビ放送受信システムの景観はこの同軸ケーブルによって損なわれている。また、テレビ放送受信システムを移動させようとすると、アンテナ、ブースタ、および受信機といった各ユニットをそれぞれ移動させた後、それらを再度同軸ケーブルによって接続することが必要である。このことは、テレビ放送受信システムの携行性を損なっている。また、これらは、テレビ放送受信システムの全体の小型化を阻害している。これらの問題は、テレビ放送受信システム以外の放送受信システムに対しても同様に生じる問題である。
【０００９】
本発明は上述の問題点を解決するためになされたものであって、その目的は放送受信システム全体の小型化と配線の簡略化と景観の美化と携行性の向上とを実現するブースタを提供することにある。
【課題を解決するための手段】
【００１０】
上記目的を達成するために、本発明のある局面に従うと、ブースタは、増幅手段と、第１の供給手段と、第２の供給手段と、第１の出力金具とを含む。増幅手段は、第１の電気信号を増幅する。第１の供給手段は、第１の電気信号を増幅手段に供給する。第２の供給手段は、電力を増幅手段に供給する。第１の出力金具は、電気信号を受信できる装置である受信装置の金具に直接接続でき、かつ増幅手段が増幅した電気信号である第２の電気信号を受信装置の金具に出力する。
【００１１】
また、上述した第１の出力金具は、コネクタを含むことが望ましい。
もしくは、上述したコネクタは、同軸コネクタを含むことが望ましい。
【００１２】
また、上述した第１の供給手段は、受信した電波が表わす信号に対応する第１の電気信号を生成するアンテナを含むことが望ましい。
【００１３】
もしくは、上述したブースタは、増幅手段とアンテナとを少なくとも収容する筐体をさらに含むことが望ましい。
【００１４】
また、上述した第１の供給手段は、受信した電波が表わす信号に対応する第１の電気信号をそれぞれ生成する複数のアンテナを含むことが望ましい。併せて、ブースタは、複数のアンテナがそれぞれ生成した第１の電気信号の間で、増幅手段に供給する信号を切り替えるための第１の切替手段をさらに含むことが望ましい。
【００１５】
もしくは、上述したブースタは、測定手段と、第１の制御手段とをさらに含むことが望ましい。測定手段は、第２の電気信号の信号強度を測定する。第１の制御手段は、測定手段が測定した信号強度に応じて増幅手段に供給する信号を切り替えるように第１の切替手段を制御する。
【００１６】
また、上述した第１の供給手段は、中継手段と第２のアンテナとを含むことが望ましい。中継手段は、第１のアンテナが生成した第１の電気信号を増幅手段に中継する。第２のアンテナは、受信した電波が表わす信号に対応する第１の電気信号を生成する。併せて、ブースタは、中継手段が中継する第１の電気信号と第２のアンテナが生成する第１の電気信号との間で、増幅手段に供給する信号を切り替えるための第２の切替手段をさらに含むことが望ましい。
【００１７】
もしくは、上述したブースタは、測定手段と、第２の制御手段とをさらに含むことが望ましい。測定手段は、第２の電気信号の信号強度を測定する。第２の制御手段は、測定手段が測定した信号強度に応じて増幅手段に供給する信号を切り替えるように第２の切替手段を制御する。
【００１８】
また、上述したブースタは、測定手段と、第３の制御手段とをさらに含むことが望ましい。測定手段は、第２の電気信号の信号強度を測定する。第３の制御手段は、増幅手段の利得が一定な値となるように、増幅手段を制御する。
【００１９】
また、上述したブースタは、第２の出力金具と、第１の分配手段とをさらに含むことが望ましい。第２の出力金具は、第２の電気信号を出力する。第１の分配手段は、第１の出力金具と第２の出力金具とに、第２の電気信号を分配する。
【００２０】
また、上述したブースタは、第２の供給手段が供給する電力を増幅手段と任意の負荷とに分配するための第２の分配手段をさらに含むことが望ましい。
【００２１】
また、上述したブースタは、第２の供給手段が供給する電力を蓄電するための蓄電手段をさらに含むことが望ましい。
【００２２】
また、上述した第２の供給手段は、直流電力を供給するための手段と、防止手段とを含むことが望ましい。直流電力を供給するための手段は、第２の電気信号を出力する経路とは少なくとも一部が異なりかつ第１の出力金具を介する経路で増幅手段に直流電力を供給する。防止手段は、第２の電気信号を出力する経路での直流電力の供給を防止する。
【発明の効果】
【００２３】
本発明に係るブースタは、放送受信システム全体の小型化、配線の簡略化、景観の美化、および携行性の向上を実現する。
【発明を実施するための最良の形態】
【００２４】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２５】
＜第１の実施の形態＞
図１は、本実施の形態に係るテレビ放送受信システムの構成を表わす図である。図１を参照して、本実施の形態におけるテレビ放送受信システムは、外部アンテナ１と、Ｆ型コネクタ１１と、同軸ケーブル１２と、ブースタ２と、テレビセット３とを含む。外部アンテナ１は、空中を伝播するテレビ放送信号を変換することにより、そのテレビ放送信号に対応する電気信号を生成する。Ｆ型コネクタ１１は、外部アンテナ１が変換した電気信号を同軸ケーブル１２に導入する。同軸ケーブル１２は、電気信号をブースタ２に導入する。ブースタ２は、電気信号を増幅する。テレビセット３は、後述するＦ型コネクタ３０を介して電気信号を受信できる装置である。テレビセット３は、ブースタ２から受信した電気信号に基づいて映像を表示する。
【００２６】
ブースタ２は、筐体の内部に、Ｆ型コネクタ２０と、第１内蔵アンテナ２１と、第２内蔵アンテナ２２と、第３内蔵アンテナ２３と、スイッチ２４と、広域帯アンプ２５と、Ｆ型コネクタ２６と、検波回路２７と、マイクロコントローラ２８と、電源回路２９とを含む。ただし、Ｆ型コネクタ２０およびＦ型コネクタ２６の一部は、筐体の外部に露出している。Ｆ型コネクタ２０は、同軸ケーブル１２を介して外部アンテナ１からの電気信号を受付ける外部入力端子である。Ｆ型コネクタ２０は、外部アンテナ１が生成した電気信号を広域帯アンプ２５に中継する端子でもある。第１内蔵アンテナ２１、第２内蔵アンテナ２２、および第３内蔵アンテナ２３は、電波として空気中を伝播するテレビ放送信号を電気信号に変換する。これにより、第１内蔵アンテナ２１、第２内蔵アンテナ２２、および第３内蔵アンテナ２３は、自らが信号の変換により生成した電気信号を広域帯アンプ２５に供給できる。第１内蔵アンテナ２１、第２内蔵アンテナ２２、および第３内蔵アンテナ２３が生成した電気信号は、第１内蔵アンテナ２１、第２内蔵アンテナ２２、および第３内蔵アンテナ２３が受信した電波が表わす信号に対応することとなる。本実施の形態の場合、第１内蔵アンテナ２１、第２内蔵アンテナ２２、および第３内蔵アンテナ２３は、感度が高くなる方向が互いに直交していることとする。スイッチ２４は、第１内蔵アンテナ２１、第２内蔵アンテナ２２、および第３内蔵アンテナ２３がそれぞれ生成した電気信号の間で、広域帯アンプ２５に供給する信号を切り替える装置である。スイッチ２４は、Ｆ型コネクタ２０が中継する電気信号と第１内蔵アンテナ２１、第２内蔵アンテナ２２、および第３内蔵アンテナ２３のいずれかが生成する電気信号との間で、広域帯アンプ２５に供給する信号を切り替える装置でもある。広域帯アンプ２５は、電気信号を増幅する。Ｆ型コネクタ２６は、テレビセット３のＦ型コネクタ３０に直接接続でき、かつ広域帯アンプ２５が増幅した電気信号をテレビセット３のＦ型コネクタ３０に出力する出力金具である。本実施の形態の場合、Ｆ型コネクタ２６はメス型のＦ型コネクタであることとする。検波回路２７は、検波信号を出力する。検波回路２７が出力する検波信号は、広域帯アンプ２５が出力した電気信号の強度に対応する。これにより、本実施の形態の場合、検波回路２７は、広域帯アンプ２５が増幅した電気信号の信号強度を測定する回路として動作することとなる。マイクロコントローラ２８は、外部アンテナ１、第１内蔵アンテナ２１、第２内蔵アンテナ２２、および第３内蔵アンテナ２３のうち、信号強度が最も大きな電気信号を広域帯アンプ２５に導入するように、スイッチ２４を制御する。これにより、マイクロコントローラ２８は、検波回路２７測定した信号強度に応じて広域帯アンプ２５に供給する信号を切り替えるようにスイッチ２４を制御する装置として動作することとなる。電源回路２９は、ブースタ２の各回路へ電力を供給する。「ブースタ２の各回路」には、広域帯アンプ２５も含まれる。本実施の形態の場合、電源回路２９が供給する電力は直流電力である。電源回路２９は、交流電力を直流電力に変換することによって、ブースタ２の各部に供給する電力を得る。電源回路２９は、電源プラグ１８および電源ケーブル１６を介して交流電力を得る。
【００２７】
テレビセット３は、Ｆ型コネクタ３０と、チューナユニット３１と、電源回路３２とを含む。Ｆ型コネクタ３０は、ブースタ２のＦ型コネクタ２６と直接接続されることにより、ブースタ２から直接電気信号の供給を受ける金具である。本実施の形態の場合、Ｆ型コネクタ３０はオス型のＦ型コネクタであることとする。チューナユニット３１は、Ｆ型コネクタ３０が受付けた電気信号から、ユーザによって選択された周波数の信号を抽出する。電源回路３２は、テレビセット３の各部に電力を供給する。電源回路３２は、テレビセット３の各部に供給するための電力を、電源プラグ１７および電源ケーブル１５を介してコンセント１９から得る。
【００２８】
以上のような構造に基づく、ブースタ２の動作について説明する。
Ｆ型コネクタ２０は、同軸ケーブル１２から電気信号を受付ける。第１内蔵アンテナ２１、第２内蔵アンテナ２２、および第３内蔵アンテナ２３は、空中を伝播するテレビ放送信号を電気信号に変換する。スイッチ２４は、マイクロコントローラ２８の制御に応じて、Ｆ型コネクタ２０が受付けた電気信号、第１内蔵アンテナ２１が出力した電気信号、第２内蔵アンテナ２２が出力した電気信号、および第３内蔵アンテナ２３が出力した電気信号のいずれかを広域帯アンプ２５へ導入する。広域帯アンプ２５は、電気信号を増幅する。Ｆ型コネクタ２６は、広域帯アンプ２５が増幅した電気信号をテレビセット３のＦ型コネクタ３０に出力する。
【００２９】
なお、上述したように、本実施の形態において、ブースタ２が備えるＦ型コネクタ２６は、メス型のコネクタである。このＦ型コネクタ２６は、テレビセット３のＦ型コネクタ３０とケーブル類を介することなく直接接続される。本実施の形態の場合、テレビセット３のＦ型コネクタ３０はオス型のコネクタである。これにより、ブースタ２はテレビセット３へ固定されることとなる。
【００３０】
以上のようにして、本実施の形態に係るブースタは、テレビセットのアンテナ端子に直接接続される。ブースタがテレビセットに直接接続されるので、ブースタとテレビセットとの間には同軸ケーブルが不要である。同軸ケーブルが不要なので、テレビ放送受信システムの景観を損ねない。同軸ケーブルが不要なので、同軸ケーブルが必要な場合に比べて配線が簡略化される。同軸ケーブルが不要なので、テレビ放送受信システム全体の小型化を図ることができる。同軸ケーブルが不要なので、テレビ放送受信システム全体の携行性が向上する。
【００３１】
また、本実施の形態に係るブースタは、同軸コネクタの一種であるＦ型コネクタによりテレビセットのアンテナ端子に直接接続される。ブースタが同軸コネクタにより接続されるのと、同軸コネクタがブースタの荷重の一部を負担できるので、ブースタをテレビセットに固定するための補強材を省略したり小さくしたりできる。その結果、テレビ放送受信システム全体のデザインの自由度を高めることができる。
【００３２】
また、本実施の形態に係るブースタは、複数本の内蔵アンテナとスイッチとを含む。これにより、テレビ放送受信システムの向きや設置場所に応じて選択されたアンテナから最適な信号を得ることができる。
【００３３】
また、本実施の形態に係るブースタは、内蔵された検波回路とマイクロコントローラとにより、信号強度が最も大きくなるようにスイッチを制御する。これにより、設置環境に応じて最適な信号を自動的に選択できる。
【００３４】
また、本実施の形態に係るブースタは、内蔵されたアンテナに加え、外部アンテナからの電気信号を受付ける端子を含む。ブースタのスイッチは内蔵されたアンテナと外部のアンテナとの電気信号を選択できる。これにより、内蔵されたアンテナでは十分な信号強度が得られない環境であっても、高感度のアンテナを端子に接続することにより、視聴が可能になる。
【００３５】
また、本実施の形態に係るブースタは、検波回路が信号強度を検知し、マイクロコントローラがその信号強度に基づきスイッチを制御する。これにより、外部アンテナから信号強度が大きな電気信号が入力されると、その信号が自動的に選択され、端子から外部アンテナが取外されると、内蔵されたアンテナの電気信号が自動的に選択されることとなる。
【００３６】
また、本実施の形態に係るブースタは、筐体を有するので、その筐体を用いてブースタをテレビセットに固定することができる。その結果、筐体を構造材として活用できるので、ブースタをテレビセットに固定するための構造材を小型化できる。
【００３７】
なお、本実施の形態の変形例に係るテレビ放送受信システムの場合、ブースタ２は、Ｆ型コネクタ２６を含まなくてもよい。この場合、ブースタ２は、第１内蔵アンテナ２１、第２内蔵アンテナ２２、および第３内蔵アンテナ２３のいずれかが変換した電気信号を出力することとなる。外部アンテナ１は利用されなくなる。これにより、外部アンテナ１とブースタ２との間の同軸ケーブル１２も不要となる。これにより、ブースタ２に内蔵されたアンテナと広域帯アンプ２５とが一体となってテレビセット３に固定されるので、携行性が向上する。また、この場合、アンテナがブースタ２の筐体内に内蔵されているので、テレビ放送受信システムの景観が損なわれない。
【００３８】
また、本実施の形態の変形例に係るテレビ放送受信システムの場合、ブースタ２は、Ｆ型コネクタ２６に代えて、同軸コネクタ以外のコネクタを含んでもよい。そのようなコネクタの一例には、ピンプラグがある。この場合、ブースタ２は、そのコネクタによりテレビセット３に固定されることとなる。ブースタ２がそのようなコネクタにより接続されると、コネクタ以外の金具により接続される場合に比べ、ブースタ２をテレビセット３に固定することが容易になる。ブースタ２がテレビセット３に固定されると、テレビ放送受信システム全体の小型化を図ることができる。
【００３９】
また、本実施の形態の変形例に係るテレビ放送受信システムの場合、ブースタ２は、Ｆ型コネクタ２６に代えて、コネクタ以外の金具を含んでもよい。そのような金具の一例には、圧着端子がある。この場合、ブースタ２は、その金具によりテレビセット３に固定されることとなる。ブースタ２がそのような金具により接続される場合も、ブースタ２がテレビセット３に直接接続されるので、ブースタ２とテレビセット３との間には同軸ケーブルが不要である。同軸ケーブルが不要なので、テレビ放送受信システムの景観を損ねない。同軸ケーブルが不要なので、同軸ケーブルが必要な場合に比べて接続が容易になる。
【００４０】
また、本実施の形態の変形例に係るテレビ放送受信システムの場合、ブースタ２が内蔵するアンテナの数は特に限定されない。たとえば、第１内蔵アンテナ２１のみが内蔵されていてもよい。
【００４１】
また、本実施の形態の変形例に係るテレビ放送受信システムの場合、Ｆ型コネクタ２０が内蔵されているのであれば、第１内蔵アンテナ２１と、第２内蔵アンテナ２２と、第３内蔵アンテナ２３とは内蔵されていなくともよい。
【００４２】
また、本実施の形態の変形例に係るテレビ放送受信システムの場合、第１内蔵アンテナ２１と、第２内蔵アンテナ２２と、第３内蔵アンテナ２３とが内蔵されているのであれば、Ｆ型コネクタ２０は内蔵されていなくともよい。この場合、放送信号は内蔵されたアンテナにより受信できるので、外部アンテナを用いる場合に比べ、放送受信システム全体の小型化と配線の簡略化と景観の美化と携行性の向上という効果をより高めることができる。
【００４３】
＜第２の実施の形態＞
図２は、本実施の形態に係るテレビ放送受信システムの構成を表わす図である。図３は、本実施の形態に係るテレビ放送受信システムの外観と配置とを表わす図である。図２および図３を参照して、本実施の形態に係るテレビ放送受信システムは、ブースタ５と、テレビセット３とを含む。ブースタ５は、電波として空気中を伝播するテレビ放送信号をテレビセット３に導入する。
【００４４】
ブースタ５は、筐体の内部に、内蔵アンテナ５１と、可変利得アンプ５２と、分配回路５３と、Ｆ型コネクタ２６と、Ｆ型コネクタ５４と、検波回路２７と、マイクロコントローラ５５と、電源回路２９と、充電池５６と、コンセント５７とを含む。ただし、Ｆ型コネクタ２６、Ｆ型コネクタ５４およびコンセント５７の一部は、筐体の外部に露出している。内蔵アンテナ５１は、電波として空気中を伝播するテレビ放送信号を電気信号に変換することにより、電気信号を生成する。内蔵アンテナ５１により生成される電気信号は、受信した電波が表わす信号に対応する。これにより、内蔵アンテナ５１は、電気信号を可変利得アンプ５２に供給できる。可変利得アンプ５２は電気信号を増幅する。可変利得アンプ５２は、利得を変更できる。分配回路５３はＦ型コネクタ２６とＦ型コネクタ５４とに電気信号を分配する。Ｆ型コネクタ５４は、電気信号を外部に出力する金具である。マイクロコントローラ５５は、可変利得アンプ５２の利得が最適かつ一定な値となるよう、可変利得アンプ５２をフィードバック制御する。充電池５６は、電源回路２９が供給する電力を予め蓄電する装置である。電源回路２９は、コンセント１９あるいは充電池５６から得た電力を用いて、ブースタ５の各回路へ電力を供給する。「ブースタ５の各回路」には、可変利得アンプ５２も含まれる。コンセント５７は、電源プラグ１７および電源ケーブル１５を介してテレビセット３に電力を供給する。これにより、コンセント５７は、電源回路２９が供給する電力を可変利得アンプ５２とテレビセット３という負荷とに分配する器具となる。
【００４５】
なお、その他のハードウェア構成については前述の第１の実施の形態と同じである。それらについての機能も同じである。したがって、それらについての詳細な説明はここでは繰返さない。
【００４６】
以上のような構造に基づく、ブースタ５の動作について説明する。
内蔵アンテナ５１は、テレビ放送用電波を電気信号に変換する。可変利得アンプ５２は、内蔵アンテナ５１が変換により生成した電気信号を増幅する。分配回路５３は、可変利得アンプ５２が増幅した電気信号をＦ型コネクタ２６とＦ型コネクタ５４とに分配する。Ｆ型コネクタ２６とＦ型コネクタ５４とはそれぞれ電気信号を出力する。さらに、可変利得アンプ５２の出力信号は、検波回路２７によって信号強度に応じた検波信号に変換される。マイクロコントローラ５５は、可変利得アンプ５２が出力する電気信号の信号強度が最適かつ一定な値になるよう、可変利得アンプ５２の利得をフィードバック制御する。マイクロコントローラ５５は、フィードバック制御のために、検波回路２７が出力した検波信号を利用する。電源回路２９および充電池５６は、ブースタ５の各部に電力を供給する。電源回路２９が電源プラグ１８および電源ケーブル１６を介してコンセント１９から交流電力を得ることができる場合、電源回路２９がブースタ５の各部に電力を供給する。このとき、電源回路２９は、充電池５６を充電する。電源回路２９がコンセント１９から電力を得ることができない場合、電源回路２９は充電池５６から電力を得る。
【００４７】
Ｆ型コネクタ２６は、テレビセット３のＦ型コネクタ３０と直接接続される。これにより、ブースタ５はテレビセット３に直接固定されることとなる。また、ブースタ５の電源回路２９および充電池５６は、コンセント５７、電源プラグ１７、および電源ケーブル１５を介してテレビセット３の電源回路３２へ電力を供給する。
【００４８】
以上のようにして、本実施の形態に係るブースタは、可変アンプと検波回路とからなる自動利得制御装置により、アンテナが受信する電波の信号強度が変化するか否かにかかわらず、常に一定で最適な強度の信号をテレビセットへ供給できる。その結果、本実施の形態に係るブースタを用いたテレビ放送受信システムは、第１の実施の形態にかかるテレビ放送受信システムと同様の効果に加え、常に一定で最適な画像を得ることができるという効果を有する。
【００４９】
また、本実施の形態に係るブースタは、分配回路を含む。これにより、テレビセットが電気信号を分配する機能を持っていなくても、電気信号を分配できる。
【００５０】
また、本実施の形態に係るブースタは、テレビセットへの電源の供給のためにコンセントを含む。これにより、ブースタの電源とテレビセットの電源とを１本の電源ケーブルで賄うことができる。ブースタの電源とテレビセットの電源とが１本の電源ケーブルで賄われるので、それらが１つずつコンセントを占有するという問題を解決できる。
【００５１】
また、本実施の形態に係るブースタは、充電池とその充電池を充電するための電源回路とを含む。これにより、普段はコンセントから電力の供給を受けつつ充電池の充電を行ない、屋外などのコンセントがない場所にテレビ放送受信システムを携行するときは、充電池から電力を供給できるテレビ放送受信システムを提供できる。
【００５２】
＜第３の実施の形態＞
図４は、本実施の形態に係るテレビ放送受信システムの構成を表わす図である。図４を参照して、本実施の形態に係るテレビ放送受信システムは、ブースタ６とテレビセット７とを含む。ブースタ６は空気中のテレビ放送信号を電気信号としてテレビセット７に供給する。テレビセット７はブースタ６が供給した電気信号に基づき映像を出力する。
【００５３】
ブースタ６は、筐体の内部に、内蔵アンテナ５１と、広域帯アンプ２５と、Ｆ型コネクタ２６と、コンデンサ６０とを含む。ただし、Ｆ型コネクタ２６の一部は、筐体の外部に露出している。コンデンサ６０は、広域帯アンプ２５が電気信号を出力する経路でのテレビセット７からの直流電力の供給を防止する。このために、コンデンサ６０は、テレビセット７から供給される電力により広域帯アンプ２５が出力する電気信号が悪影響を受けることを防止できる。
【００５４】
本実施の形態の場合、Ｆ型コネクタ２６は、２つの経路で広域帯アンプ２５と接続されている。第１の経路は、コンデンサ６０を介した経路である。第１の経路は、広域帯アンプ２５が電気信号を出力する経路である。第２の経路は、コンデンサ６０を介さない経路である。第２の経路は、広域帯アンプ２５が電気信号を出力する経路とは少なくとも一部が異なりかつＦ型コネクタ２６を介する経路である。
【００５５】
テレビセット７は、チューナユニット７１と、Ｆ型コネクタ３０と電源回路３２とを含む。チューナユニット７１は、ブースタ６が出力した電気信号から所定の放送局の信号を抽出する。
【００５６】
チューナユニット７１は、コンデンサ７１０を含む。コンデンサ７１０は電源回路３２が供給する電力が図示しないテレビセット７の各回路に悪影響が及ぶことを防止する。
【００５７】
なお、その他のハードウェア構成については前述の第１の実施の形態および第２の実施の形態と同じである。それらについての機能も同じである。したがって、それらについての詳細な説明はここでは繰返さない。
【００５８】
以上のような構造に基づく、ブースタ６の動作について説明する。
内蔵アンテナ５１は、テレビ放送用電波を電気信号に変換する。広域帯アンプ２５は内蔵アンテナ５１が変換した電気信号を増幅する。広域帯アンプ２５によって増幅された電気信号は、コンデンサ６０とＦ型コネクタ２６とを介してテレビセット７に出力される。Ｆ型コネクタ２６は、テレビセット７のＦ型コネクタ３０と直接接続される。これにより、ブースタ６はテレビセット７に固定される。このとき、テレビセット７の電源回路３２は、チューナユニット７１およびＦ型コネクタ３０を介してブースタ６に対し電力を供給する。ブースタ６の広域帯アンプ２５は、Ｆ型コネクタ２６を介して供給された電力により電気信号を増幅する。これにより、上述した第２の経路を構成する電線は、広域帯アンプ２５が電気信号を出力する経路とは少なくとも一部が異なりかつＦ型コネクタ２６を介する経路で広域帯アンプ２５に直流電力を供給する電線となる。
【００５９】
以上のようにして、本実施の形態に係るブースタは、テレビセットに内蔵されたＦ型コネクタから電力の供給を受けることができる。これにより、電源回路および電源プラグが不要なブースタを提供することができる。その結果、本実施の形態に係るブースタを用いたテレビ放送受信システムは、第１の実施の形態にかかるテレビ放送受信システムと同様の効果に加え、利用するコンセントが少なくなるという効果を有する。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】本発明の第１の実施の形態に係るテレビ放送受信システムの構成を表わす図である。
【図２】本発明の第２の実施の形態に係るテレビ放送受信システムの構成を表わす図である。
【図３】本発明の第２の実施の形態に係るテレビ放送受信システムの外観と配置とを表わす図である。
【図４】本発明の第３の実施の形態に係るテレビ放送受信システムの基本構成を示す図である。
【図５】一般的なテレビ放送受信システムの外観と配置とを表わす図である。
【符号の説明】
【００６２】
１  外部アンテナ、２，５，６，８  ブースタ、３，７  テレビセット、９，１２  同軸ケーブル、１１，２０，２６，３０，５４  Ｆ型コネクタ、１５，１６  電源ケーブル、１７，１８  電源プラグ、１９，５７  コンセント、２１  第１内蔵アンテナ、２２  第２内蔵アンテナ、２３  第３内蔵アンテナ、２４  スイッチ、２５  広域帯アンプ、２７  検波回路、２８，５５  マイクロコントローラ、２９，３２  電源回路、３１，７１  チューナユニット、５１  内蔵アンテナ、５２  可変利得アンプ、５３  分配回路、５６  充電池、６０，７１０  コンデンサ。
【図１】
2007214907.tif 000003
【図２】
2007214907.tif 000004
【図３】
2007214907.tif 000005
【図４】
2007214907.tif 000006
【図５】
2007214907.tif 000007